(57)【要約】【課題】Ａ式箱で構成された包装箱の一部を部分的に破断させて天面上方に立ち上げて物品情報を表示する表示部を形成することができるようにする。【解決手段】正面側外フラップ６１及び正面部１０に設けられ、第１折曲用罫線８２と破断用切り目線８３とで区画形成され、破断用切り目線８３に沿って破断して第１折曲用罫線８２に沿って折り曲げることで、天面部６０及び正面部１０に開口７０を形成させて、一部を天面部６０の上方に立ち上げて表示部８０として使用可能な表示部形成領域８１を有し、第１及び第２側面側内フラップ６３，６４の正面側外フラップ６１の表示部形成領域８１Ｔと重合する部分に形成された切欠部６３ａ，６４ａを有する。【選択図】図３
2018203326.tif 000002
【特許請求の範囲】
【請求項１】
物品を収容する包装箱であって、
正面視で幅方向に延びる正面部及び背面部と正面視で奥行方向に延びる第１側面部及び第２側面部と底面部及び天面部とを有し、前記天面部が正面側外フラップと背面側外フラップと第１側面側内フラップと第２側面側内フラップとが重合されてなるＡ式箱で構成され、
前記正面側外フラップ及び前記正面部に設けられ、第１折曲用罫線と破断用切り目線とで区画形成され、前記破断用切り目線に沿って破断して前記第１折曲用罫線に沿って折り曲げることで、前記天面部及び前記正面部に開口を形成させて、一部を前記天面部の上方に立ち上げて表示部として使用可能な表示部形成領域を有し、
前記第１及び第２側面側内フラップの前記正面側外フラップの前記表示部形成領域と重合する部分に形成された切欠部を有する
ことを特徴とする、包装箱。
【請求項２】
前記第１折曲用罫線は、前記正面側外フラップの前記幅方向の中間部に前記幅方向に沿って形成され、
前記破断用切り目線は、前記第１折曲用罫線の両端部から前記正面部内にかけて延設され破断処理が可能な一対の第１切り目線と、前記第１切り目線のそれぞれの先端どうしを接続するように前記幅方向に沿って延設され破断処理が可能な第２切り目線と、から構成されている
ことを特徴とする、請求項１に記載された包装箱。
【請求項３】
前記表示部形成領域は、前記正面側外フラップ内にある天面領域と、前記正面部内にある正面領域と、を有し、
前記正面部前記正面側外フラップとの間の正面側折れ線に対して前記第１折曲用罫線と対称な位置に、前記幅方向に沿って形成された第２折曲用罫線を有し、
前記正面領域のうち前記正面側折れ線と前記第２折曲用罫線との間の基部領域が、前記天面部の上方への立ち上げ時に、前記天面領域と重合して前記表示部に用いられ、
前記正面領域のうち前記第２折曲用罫線よりも先端側の先端部領域は、前記天面部の上方への立ち上げ時に、前記背面側外フラップとこれと重合する前記第１及び第２側面側内フラップとの間に挿入され係止される
ことを特徴とする、請求項２に記載された包装箱。
【請求項４】
前記正面領域の前記基部領域及び前記天面領域には、前記天面部の上方への立ち上げ時に互いの重合状態を保持する係止構造が形成されている
ことを特徴とする、請求項３に記載された包装箱。
【請求項５】
前記正面側折れ線に沿って折り曲げを案内する切込み線が加工されている
ことを特徴とする、請求項３又は４に記載された包装箱。
【請求項６】
前記第２切り目線の中間部に、指挿入孔の穿設を案内する孔開け用切り目線が形成されている
ことを特徴とする、請求項２〜５の何れか１項に記載された包装箱。
【請求項７】
前記第１折曲用罫線上に、切り目線が形成されている
ことを特徴とする、請求項２〜６の何れか１項に記載された包装箱。
【請求項８】
構成素材に段ボールが用いられたＡ式段ボール箱で構成されていることを特徴とする、請求項１〜７の何れか１項に記載された包装箱。
【発明の詳細な説明】
【技術分野】
【０００１】
本発明は、物品を収容して輸送した後に一部を開放した状態で陳列して物品を販売するのに用いて好適の包装箱に関するものである。
【背景技術】
【０００２】
物品（製品或いは商品）を輸送する際には、複数の物品を包装箱に収容して輸送することが多い。このような包装箱を、輸送後に一部を開放した状態で陳列して物品を販売することも行われている。また、陳列時に包装箱の一部を部分的に破断させて天面上方に立ち上げて物品情報を表示する手法も提案されている。
【０００３】
例えば、特許文献１には、Ｂ式段ボール箱の包装箱の天面の一部を部分的に破断させて天面上方に立ち上げて物品情報を表示する表示部として利用する技術が開示されている。また、特許文献２には、ラップアラウンド式の段ボール製の包装箱の天面の一部を部分的に破断させて天面上方に立ち上げて物品情報を表示する表示部として利用する技術が開示されている。
【先行技術文献】
【特許文献】
【０００４】
【特許文献１】特開２００６−１８８２３８号公報
【特許文献２】特開２０１３−１５４９３０号公報
【発明の概要】
【発明が解決しようとする課題】
【０００５】
ところで、最も一般的な段ボール箱には、ミカン箱に代表されるＡ式段ボール箱がある。Ａ式段ボール箱に限らずＡ式の箱は、紙等のシート材の無駄もなく、製造工程がシンプルなため、最も安価であり、広く普及している。そこで、このようなＡ式箱を用いた包装箱においても、包装箱の一部を部分的に破断させて天面上方に立ち上げて物品情報を表示する表示部として利用できるようにしたい。
【０００６】
しかし、特許文献１のＢ式段ボール箱や特許文献２のラップアラウンド式の段ボール箱の天面は重合部分がないので、包装箱の一部を部分的に破断させて天面上方に立ち上げて表示部を形成することが容易であるが、Ａ式箱の天面は内フラップと外フラップとが重合しているため、特許文献１，２の技術をそのまま適用しても、箱の一部を開放した状態で表示部を形成することはできない。
【０００７】
本件はこのような課題に鑑み創案されたもので、Ａ式箱で構成された包装箱において、箱の一部を部分的に破断させて天面及び正面に開口を形成し、箱の一部を天面上方に立ち上げて物品情報を表示する表示部を形成することができるようにした包装箱を提供することを目的としている。
【課題を解決するための手段】
【０００８】
（１）本件の包装箱は、物品を収容する包装箱であって、正面視で幅方向に延びる正面部及び背面部と正面視で奥行方向に延びる第１側面部及び第２側面部と底面部及び天面部とを有し、前記天面部が正面側外フラップと背面側外フラップと第１側面側内フラップと第２側面側内フラップとが重合されてなるＡ式箱で構成され、前記正面側外フラップ及び前記正面部に設けられ、第１折曲用罫線と破断用切り目線とで区画形成され、前記破断用切り目線に沿って破断して前記第１折曲用罫線に沿って折り曲げることで、前記天面部及び前記正面部に開口を形成させて、一部を前記天面部の上方に立ち上げて表示部として使用可能な表示部形成領域を有し、前記第１及び第２側面側内フラップの前記正面側外フラップの前記表示部形成領域と重合する部分に形成された切欠部を有することを特徴としている。
【０００９】
（２）前記第１折曲用罫線は、前記正面側外フラップの前記幅方向の中間部に前記幅方向に沿って形成され、前記破断用切り目線は、前記第１折曲用罫線の両端部から前記正面部内にかけて延設され破断処理が可能な一対の第１切り目線と、前記第１切り目線のそれぞれの先端どうしを接続するように前記幅方向に沿って延設され破断処理が可能な第２切り目線と、から構成されていることが好ましい。
【００１０】
（３）前記表示部形成領域は、前記正面側外フラップ内にある天面領域と、前記正面部内にある正面領域と、を有し、前記正面部と前記正面側外フラップとの間の正面側折れ線に対して前記第１折曲用罫線と対称な位置に、前記幅方向に沿って形成された第２折曲用罫線を有し、前記正面領域のうち前記正面側折れ線と前記第２折曲用罫線との間の基部領域が、前記天面部の上方への立ち上げ時に、前記天面領域と重合して前記表示部に用いられ、前記正面領域のうち前記第２折曲用罫線よりも先端側の先端部領域は、前記天面部の上方への立ち上げ時に、前記背面側外フラップとこれと重合する前記第１及び第２側面側内フラップとの間に挿入され係止されることが好ましい。
【００１１】
（４）前記正面領域の前記基部領域及び前記天面領域には、前記天面部の上方への立ち上げ時に互いの重合状態を保持する係止構造が形成されていることが好ましい。
（５）前記正面側折れ線に沿って折り曲げを案内する切込み線が加工されていることが好ましい。
【００１２】
（６）前記第２切り目線の中間部に、指挿入孔の穿設を案内する孔開け用切り目線が形成されていることが好ましい。
（７）前記第１折曲用罫線上に、切り目線が形成されていることが好ましい。
（８）構成素材に段ボールが用いられたＡ式段ボール箱で構成されていることが好ましい。
【発明の効果】
【００１３】
本件の包装箱によれば、Ａ式の箱を用いながら、表示部形成領域の周囲を破断し天面部及び正面部に開口を形成して、表示部形成領域の一部を天面部の上方に立ち上げて表示部として使用することができ、物品を包装箱に収容したままで陳列し、表示部を通じて物品を訴求しながら販売等を行うことができる。特に、内フラップに切欠部が形成されるので、内フラップが開口の妨げにならず、開口を通じて包装箱内から物品を支障なく取り出すことができる。
【図面の簡単な説明】
【００１４】
【図１】第１実施形態に係る包装箱の斜視図である。
【図２】第１実施形態に係る包装箱のシート材の正面図であり、包装箱の展開図に対応する。
【図３】第１実施形態に係る包装箱において、表示部を立ち上げ形成するための表示部形成領域の処理を説明する斜視図であって、（ａ）〜（ｃ）の順に処理を進める状況を示す。
【図４】第１実施形態に係る包装箱の表示部を立ち上げ形成した状態の要部断面図〔図３（ｃ）のＡ−Ａ矢視断面図〕である。
【図５】第１実施形態に係る包装箱において、包装箱を積重する場合の下層の包装箱における表示部形成領域の処理例を示す斜視図であって、（ａ）は第１例を、（ｂ）は第２例を示す。
【図６】第１実施形態に係る包装箱において、包装箱を積重した状態を示す斜視図である。
【図７】第２実施形態に係る包装箱の材料シートの正面図であり、包装箱の展開図に対応する。
【図８】第２実施形態に係る包装箱の表示部を立ち上げ形成した状態の要部斜視図である。
【発明を実施するための形態】
【００１５】
以下、本件にかかる実施形態を説明する。下記の実施形態はあくまでも例示に過ぎず、この実施形態で明示しない種々の変形や技術の適用を排除する意図はない。また、本実施形態の各構成は、それらの趣旨を逸脱しない範囲で種々変形して実施することができ、必要に応じて取捨選択することができ、あるいは適宜組み合わせることができる。
【００１６】
〔第１実施形態〕
図１〜図６を参照して第１実施形態について説明する。
図１に示すように、本包装箱１は、複数の物品（ここでは、商品）を収容するものであり、物品を収容した状態で移送され、移送後には包装箱１の一部を破断し開放して内部の物品を取り出すことができる状態にして、複数の物品を包装箱１に入れたままで陳列して使用される。この包装箱１には、Ａ式段ボール箱が使用されている。なお、図１には、陳列して使用する際の正面方向，背面方向，底面方向，天面方向を矢印Ｆ，Ｒ，Ｂ，Ｔで示し、正面から見て両側方を矢印Ｓ１，Ｓ２で示している。
【００１７】
（包装箱の概要）
包装箱１は、図２に示すシート材２の接合代２ａが接合縁部２ｂに接合されたシート状の箱を組み立てて、要部を突合せた状態で粘着テープを用いて接合して、図１に示すような直方体に形成される。この包装箱１は、箱の幅方向及び高さ方向に延びる正面部１０及び背面部２０と、箱の奥行方向及び高さ方向に延びる第１側面部３０及び第２側面部４０と、箱の幅方向及び奥行方向に延びる底面部５０及び天面部６０とを有している。
【００１８】
正面部１０及び背面部２０は、包装箱１を陳列状態に設置した場合の正面ＦＦ及び背面ＲＦに対応する。第１側面部３０及び第２側面部４０と包装箱１を陳列状態に設置した場合の側面ＳＦに対応する。底面部５０及び天面部６０は、包装箱１を陳列状態に設置した場合の底面ＢＦ及び天面ＴＦに対応する。また、箱の幅方向，奥行方向及び高さ方向については、水平に配置した包装箱１を正面から見た場合において、鉛直方向が高さ方向に、左右方向が幅方向に、視線方向が奥行方向に、それぞれ相当する。
【００１９】
底面部５０は一対の外フラップ５１，５２と一対の内フラップ５３，５４とが重合して構成され、天面部６０は一対の外フラップ６１，６２と一対の内フラップ６３，６４とが重合して構成される。それぞれの一対の外フラップ５１，５２及び６１，６２のうち、陳列状態で正面側に位置するものが正面側外フラップ５１，６１であり、陳列状態で背面側に位置するものが他方は背面側外フラップ５２，６２である。
【００２０】
展開状態のシート材２に着目すると、例えば図２に示すように、接合代２ａと、背面部２０と、第２側面部４０と、正面部１０と、第１側面部３０とが、それぞれ、間に罫線２１，４１，１１，３１を介してこの順で並んでいる。背面部２０、第２側面部４０、正面部１０、第１側面部３０の各一側（図２では下側）には、それぞれ罫線２２，４２，１２，３２を介して底面部５０を構成するフラップ５２，５４，５１，５３が配置されている。背面部２０，第２側面部４０，正面部１０，第１側面部３０の各他側（図２では上側）には、それぞれ罫線２３，４３，１３，３３を介して天面部６０を構成するフラップ６２，６４，６１，６３が配置されている。なお、図２においては、各罫線１１〜１３，２１〜２３，３１〜３３，４１〜４３を一点鎖線で示している。
【００２１】
接合代２ａを接合縁部２ｂに接合されたシート材２は、罫線２１，４１，１１，３１で折り曲げられて、正面部１０，背面部２０，第１側面部３０，第２側面部４０により角筒状に形成される。さらに、罫線４２，３２，１２，２２で内フラップ５３，５４及び外フラップ５１，５２をそれぞれ折り曲げて外フラップ５１，５２の突合せ部の外面等に粘着テープ５５を貼り付けて底面部５０が形成される。同様に、罫線４３，３３，１３，２３で内フラップ６３，６４及び外フラップ６１，６２をそれぞれ折り曲げて外フラップ６１，６２の突合せ部の外面等に粘着テープ６５を貼り付けて天面部６０が形成される。
【００２２】
なお、上記の各罫線１１，１２，１３，２１，２２，２３，３１，３２，３３，４１，４２，４３は、図１，図２に示すように、包装箱１に組み立てられた状態では、それぞれ直角に折り曲げられた折れ線（稜線）１１ｒ，１２ｒ，１３ｒ，２１ｒ，２２ｒ，２３ｒ，３１ｒ，３２ｒ，３３ｒ，４１ｒ，４２ｒ，４３ｒを構成する。
【００２３】
また、ここでは、外フラップ５１，５２，６１，６２が接続される正面部１０及び背面部２０の水平方向長さ（幅方向長さ）は、内フラップ５３，５４，６３，６４が接続される第１側面部３０及び第２側面部４０の水平方向長さ（奥行方向長さ）よりも大きいが、正面部１０及び背面部２０の水平方向長さ（幅方向長さ）は第１側面部３０及び第２側面部４０の水平方向長さ（奥行方向長さ）よりも小さくてもよい。
【００２４】
天面部６０を構成する外フラップ６１，６２のうち、正面部１０と罫線１３又は折れ線（正面側折れ線）１３ｒを介して接続される外フラップ６１については、正面側外フラップとも呼び、背面部２０と罫線２３又は折れ線２３ｒを介して接続される外フラップ６２については、背面側外フラップとも呼ぶ。また、天面部６０を構成する内フラップ６３，６４のうち、第１側面部３０と罫線３３又は折れ線３３ｒを介して接続される内フラップ６３については、第１側面側内フラップとも呼び、第２側面部４０と罫線４３又は折れ線４３ｒを介して接続される内フラップ６４については、第２側面側内フラップとも呼ぶ。
【００２５】
（包装箱の表示部）
本包装箱１は、正面側外フラップ６１及び正面部１０に、天面部６０及び正面部１０に開口７０を形成させて、一部を天面部６０の上方に立ち上げて物品情報（製品情報）を表示する表示部８０として使用可能な表示部形成領域８１を有している。また、第１側面側内フラップ６３及び第２側面側内フラップ６４のうちの正面側外フラップ６１の表示部形成領域８１と重合する部分には、切欠部６３ａ，６４ａが形成されている。
なお、物品情報（商品情報）とは、具体的に図示していないが、例えば商品を消費者に訴求するための表示であり、商品の名称や商品に関するマークや商品に関する説明などが含まれる。
【００２６】
表示部形成領域８１は、正面側外フラップ６１及び正面部１０において、第１折曲用罫線８２と破断用切り目線８３とによって概略で矩形に区画形成されている。
第１折曲用罫線８２は、正面側外フラップ６１の幅方向及び奥行方向の各中間部において、幅方向に沿った（したがって、折れ線１３ｒに対して平行な）直線状に延設されている。本実施形態では、第１折曲用罫線８２に沿って（第１折曲用罫線８２に重ねて）直線状の切り目線８２ａが断続形成されている。
【００２７】
破断用切り目線８３は、第１折曲用罫線８２の両端部から正面部１０内にかけて奥行方向及び高さ方向に直線状に延設された左右一対の第１切り目線８４Ｌ，８４Ｒと、これらの第１切り目線８４Ｌ，８４Ｒのそれぞれの先端どうしを接続するように幅方向に沿って延設された第２切り目線８５とから構成されている。
【００２８】
また、第２切り目線８５の延在方向中間部（ここでは、中央部）には、指挿入孔８７の穿設を案内する孔開け用切り目線８６が形成されている。
第２切り目線８５は、この孔開け用切り目線８６が形成された中央部から左右に向けて微小角度だけ高さ方向上向きに傾斜して形成されており、第１切り目線８４Ｌ，８４Ｒの先端に近い領域は上向き傾斜角度が大きくなっている。
【００２９】
第２切り目線８５及び孔開け用切り目線８６は、複数の直線状の切込みが断続的に形成されて構成される。これに対して、第１切り目線８４Ｌ，８４Ｒは、幅方向外側及び高さ方向上方に延びる直線状の傾斜切込みとこの傾斜切込みの先端に接続され高さ方向及び奥行方向に延びる直線状の切込みとからなるカギ型切込みが断続的に形成されたジッパー切り目線により構成される。
【００３０】
表示部形成領域８１は、折れ線１３ｒを境に正面側外フラップ６１内にある天面領域８１Ｔと正面部１０内にある正面領域８１Ｆとに区分することができる。
正面領域８１Ｆの高さ方向中間部には、折れ線１３ｒに対して第１折曲用罫線と対称な位置に、幅方向に沿って（折れ線１３ｒと平行に）第２折曲用罫線８８が形成されている。これにより、正面領域８１Ｆは、折れ線１３ｒと第２折曲用罫線８８との間の基部領域８１Ｆｂと、第２折曲用罫線８８よりも先端側の先端部領域８１Ｆｔとに区分することができる。なお、本実施形態では、折れ線１３ｒに沿って、即ち、罫線１３上に、折曲げを容易にする直線状の切込み線８９が断続形成されている。
【００３１】
正面領域８１Ｆの下縁を区画する第２切り目線８５の中央部の指挿入孔８７を形成する領域８７ａに指を差し込むと孔開け用切り目線８６によって比較的容易に指挿入孔８７を穿設することができ、指挿入孔８７内に差し込んだ指を使って正面領域８１Ｆの下縁をつまんで、包装箱１の外方且つ上方に引き上げれば、第２切り目線８５に沿って正面部１０が破断して、さらに正面領域８１Ｆの下縁を引き上げると、図３（ａ）に示すように、第１切り目線８４Ｌ，８４Ｒに沿って正面部１０がさらに破断して、その後さらに破断が進むと、第１折曲用罫線８２に到達するまで破断する。
【００３２】
この結果、表示部形成領域８１は、第１折曲用罫線８２，折れ線１３ｒ，第２折曲用罫線８８のそれぞれで折り曲げることが可能になる。表示部形成領域８１を折れ線１３ｒで略１８０度山折りすると共に第１折曲用罫線８２で略９０度谷折りすると、図３（ｂ）に示すように、正面領域８１Ｆの基部領域８１Ｆｂと天面領域８１Ｔとを背中合わせに重合させてこれらを天面部６０の上方に立ち上げる。これにより、基部領域８１Ｆｂの一面を正面側に向けることができる。
【００３３】
さらに、表示部形成領域８１を第２折曲用罫線８８で略９０度山折りすると、図３（ｃ）に示すように、正面領域８１Ｆの先端部領域８１Ｆｔを、背面側外フラップ６２とこれと重合する側面側内フラップ６３，６４との間に挿入することができ、これにより、先端部領域８１Ｆｔを背面側外フラップ６２と側面側内フラップ６３，６４との間に係止させることができる。
【００３４】
（作用及び効果）
本実施形態に係る包装箱１は、上述のように構成されているので、包装箱１の複数の物品（商品）を収容して粘着テープで梱包した状態で移送し、移送後には包装箱１の表示部形成領域８１を一部破断して開放して内部の物品を取り出すことができる状態にして、物品（商品）を包装箱１の中に収容したままで陳列して使用することができる。
【００３５】
具体的には、図３（ａ）に示すように、指挿入孔８７を形成して指を差し込んで表示部形成領域８１の第２切り目線８５及び第１切り目線８４Ｌ，８４Ｒを破断して、天面部６０及び正面部１０の表示部形成領域８１に、開口７０を形成する。第２切り目線８５及び第１切り目線８４Ｌ，８４Ｒによって表示部形成領域８１を正面部１０及び正面側外フラップ６１から容易に破断することができる。指挿入孔８７を形成する際には、孔開け用切り目線８６が形成を容易にする。
【００３６】
一般的なＡ式箱では、天面部６０の表示部形成領域８１に相当する部位は、正面側外フラップと側面側内フラップとが重合しているため、正面側外フラップに設けられた天面領域のみを開放しただけでは、側面側内フラップの一部が開口７０の妨げになる。しかし、本包装箱１では、側面側内フラップ６３，６４及の正面側外フラップ６１の表示部形成領域８１（天面領域８１Ｔ）と重合する部分には、切欠部６３ａ，６４ａが形成されているので、側面側内フラップ６３，６４が開口７０の妨げになることはなく、開口７０を確実に形成することができる。
【００３７】
そして、図３（ｂ）に示すように、表示部形成領域８１を折れ線１３ｒで１８０度だけ山折りすると共に第１折曲用罫線８２で９０度だけ谷折りして、正面領域８１Ｆの基部領域８１Ｆｂと天面領域８１Ｔとを背中合わせに重合させてこれらを天面６０の上方に立ち上げて、基部領域８１Ｆｂの一面を正面側に向ける。正面側に向いた基部領域８１Ｆｂの一面は、物品情報（製品情報）を表示する表示部８０として使用することができる。表示部８０に表示された物品情報（商品情報）によって、例えば商品を消費者に訴求することができる。
【００３８】
さらに、図３（ｃ）に示すように、表示部形成領域８１を第２折曲用罫線８８で９０度だけ山折りして、正面領域８１Ｆの先端部領域８１Ｆｔを背面側外フラップ６２とこれと重合する側面側内フラップ６３，６４との間に挿入する。これにより、図４に示すように、先端部領域８１Ｆｔを背面側外フラップ６２と側面側内フラップ６３，６４との間に挟持させて背面側外フラップ６２及び側面側内フラップ６３，６４に係止させることができる。
【００３９】
また、図５（ａ）に示すように、第１折曲用罫線８２に沿って断続形成された切り目線８２ａを利用して、表示部形成領域８１を正面側外フラップ６１から切り離して除去したり、図５（ｂ）に示すように、背中合わせに重合させた正面領域８１Ｆの基部領域８１Ｆｂと天面領域８１Ｔとを、天面部６０から立ち上げずに天面部６０に沿うように寝かせたりして、天面部６０をフラットにすることができる。この場合、先端部領域８１Ｆｔを背面側外フラップ６２と側面側内フラップ６３，６４との間に挟持させる。
【００４０】
このように天面部６０の上方に突出がないようにすることにより、図６に示すように、開口７０が形成された包装箱１の上方に他の包装箱１を積み上げて陳列することができる。最上段の包装箱１からだけでなく、下段の包装箱１からも物品を取り出すことができる。
また、図５（ｂ）に示す背中合わせに重合させた正面領域８１Ｆの基部領域８１Ｆｂと天面領域８１Ｔとを天面部６０に沿うように寝かせた場合には、その後、上段の包装箱１が排除された場合に、これらの重合部分を天面部６０から立ち上げることにより、表示部８０を使用することができる。この場合、表示部形成領域８１を切り離さないので、切り目線８２ａを省いても支障がない。
【００４１】
〔第２実施形態〕
図７，図８を参照して第２実施形態について説明する。なお、図７，図８において、図１〜図６と同符号は同様なものを示している。
図８に示すように、本包装箱１は、第１実施形態のものに、表示部形成領域８１の正面領域８１Ｆの基部領域８１Ｆｂ及び天面領域８１Ｔに、これらを天面部６０の上方へ立ち上げて互いに重合させた状態を保持するための係止構造９０が追加形成されている。そこで、係止構造９０のみを説明する。
【００４２】
図７に示すように、基部領域８１Ｆｂ及び天面領域８１Ｔの左右両縁の互いに重合させたときに略同位置となる箇所に、第１切り目線８４Ｌ，８４Ｒと交差する方向（ここでは、直角）に、一対の切込みを加工した係止片９１，９２が形成されている。ここでは、一対の切込みは互いに平行な直線状に形成されている。
【００４３】
表示部形成領域８１を第１切り目線８４Ｌ，８４Ｒに沿って破断すると係止片９１，９２は、基部領域８１Ｆｂ及び天面領域８１Ｔの各面から逸脱する方向に折り曲げ可能になり、図８に示すように、基部領域８１Ｆｂ及び天面領域８１Ｔを互いに重合させた状態で係止片９１，９２を一方の逸脱方向に共に折り曲げることで、係止片９１，９２の何れか一方の係止片の切り込み断面や断面エッジ部９１ａが、他方の係止片が折り曲げられて基部領域８１Ｆｂ又は天面領域８１Ｔの本体側に露出した切り込み断面や断面エッジ部９２ａに摩擦により係止される係止構造９０が形成される。
【００４４】
係止構造９０が追加形成されていることで、立ち上げ状態での表示部８０の形状保持効果が得られるとともに表示部８０の剛性が高まり、表示部８０が一層倒れにくくなる。特に、包装箱１のシート材２が段ボールシートの場合は、厚みがあり切り込み断面も一定の粗さがあるので、係止片９１，９２は十分な摩擦力で係止される。
【００４５】
〔その他〕
上記の各実施形態では、構成素材に段ボールが用いられたＡ式段ボール箱で構成された包装箱を例示したが、包装箱の構成素材は段ボールに限らない。少なくとも天面部が内フラップと外フラップとが重合してなるＡ式の箱であれば有効である。また、構成素材の材質も紙に限るものではない。
なお、底面部は一般的なＡ式段ボール箱のように内フラップと外フラップとが重合してなるものに限らず、例えば底ワンタッチ式や底地獄式のものを適用してもよい。
【符号の説明】
【００４６】
１  包装箱
２  シート材
２ａ  接合代
２ｂ  接合縁部
１０  正面部
１１〜１３，２１〜２３，３１〜３３，４１〜４３  罫線
１１ｒ〜１３ｒ，２１ｒ〜２３ｒ，３１ｒ〜３３ｒ，４１ｒ〜４３ｒ  折れ線（稜線）
２０  背面部
３０  第１側面部
４０  第２側面部
５０  底面部
５１，６１  外フラップ（正面側外フラップ）
５２，６２  外フラップ（背面側外フラップ）
５３，６３  内フラップ（第１側面側内フラップ）
５４，６４  内フラップ（第２側面側内フラップ）
５５，６５  粘着テープ    
６０  天面部
６３ａ，６４ａ  切欠部
７０  開口
８０  表示部
８１  表示部形成領域
８１Ｆ  正面領域
８１Ｆｂ  基部領域
８１Ｆｔ  正面領域８１Ｆの先端部領域
８１Ｔ  天面領域
８２  第１折曲用罫線
８２ａ  切り目線
８３  破断用切り目線
８４Ｌ，８４Ｒ  破断用切り目線８３の第１切り目線
８５  破断用切り目線８３の第２切り目線
８６  孔開け用切り目線
８７  指挿入孔
８８  第２折曲用罫線
８９  切込み線
９０  係止構造
９１，９２  係止片
ＦＦ  正面
ＲＦ  背面
ＳＦ  側面
ＢＦ  底面
ＴＦ  天面
【図１】
2018203326.tif 000003
【図２】
2018203326.tif 000004
【図３】
2018203326.tif 000005
【図４】
2018203326.tif 000006
【図５】
2018203326.tif 000007
【図６】
2018203326.tif 000008
【図７】
2018203326.tif 000009
【図８】
2018203326.tif 000010